(57)【特許請求の範囲】
【請求項１】
客を集めて公演を行う公演施設に取り付けられて携帯電話の送受信を抑止する動作を行う抑止機器と、前記公演施設が開演中か否かを前記公演施設の客席、及び舞台の両方の環境によって判別し、前記判別結果が開演中であれば前記抑止機器を動作させ、前記判別結果が開演中でなければ前記抑止機器の動作を停止させる制御手段とを備えることを特徴とする携帯電話抑止装置。
【発明の詳細な説明】
【０００１】
【発明の属する技術分野】
本発明は、客を集めて公演を行う公演施設に取り付けられる携帯電話抑止装置に関するものである。
【０００２】
【従来の技術】
コンサートホール、劇場、演芸場などの客を集めて公演を行う公演施設では、携帯電話やＰＨＳなどの普及に伴い、演技中、演奏中の呼出音や通話、通信が演者や観客に迷惑を及ぼし、施設への苦情や様々なトラブルが発生している。また、公演内容の違法な流出にもつながるため、一部の施設ではこうしたトラブルを防止する目的で、携帯電話やＰＨＳと同一周波数帯の抑止電波を発生させ、通信を抑止（妨害）する携帯電話抑止装置を公演施設内に設置している。
【０００３】
但し、このような携帯電話抑止装置は、電波法により、コンサートホール、劇場、演芸場などの有料で生身の演者が立つ公演施設に設置が制限され、且つ抑止電波の発射は、演技中、演奏中に限って認められるもので、開演前、休憩中及び終演後などは、電波の発射による通信の抑止は許可されていない。
【０００４】
このため従来は、携帯電話抑止装置の動作を有効・無効にする操作を、係員や舞台関係者が施設内の環境を見て手動で行わなければならず、人の判断に依存するため、操作のタイミングや動作の確実性に問題があった。
【０００５】
【発明が解決しようとする課題】
本発明は、上記事由に鑑みてなされたものであり、その目的は、開演中か否かに応じて、自動で動作、停止できる携帯電話抑止装置を提供することにある。
【０００６】
【課題を解決するための手段】
請求項１の発明は、客を集めて公演を行う公演施設に取り付けられて携帯電話の送受信を抑止する動作を行う抑止機器と、前記公演施設が開演中か否かを前記公演施設の客席、及び舞台の両方の環境によって判別し、前記判別結果が開演中であれば前記抑止機器を動作させ、前記判別結果が開演中でなければ前記抑止機器の動作を停止させる制御手段とを備えることを特徴とする。
【０００７】
【発明の実施の形態】
以下、本発明の実施の形態を図面に基づいて説明する。
【０００８】
（基本構成）
携帯電話抑止装置の基本構成は、図１に示すように、コンサートホール、劇場、演芸場などの客を集めて公演を行う公演施設において、照明器具３と、手動で照明器具３の明るさを変える操作を行う調光操作器１と、調光操作器１の操作量に基づいて照明器具３に供給する電力を制御し、公演施設内照明の明るさを制御する調光装置２と、携帯電話の送受信を抑止するための抑止電波を発生するアンテナからなる抑止機器４と、抑止機器４の動作または停止を制御する制御手段５とから構成される。
【０００９】
制御手段５は調光装置２内に配置されて、公演施設が開演中か否かを公演施設の環境によって判別し、その判別結果が開演中であれば抑止機器４に電源を供給し動作させて携帯電話での送受信を抑止し、判別結果が開演中でなければ抑止機器４に供給する電源を遮断し動作を停止させて携帯電話での送受信を可能にする。抑止機器４に供給する電源を開閉する手段は、リレーやリモコンブレーカなどの接点機器、または半導体スイッチなどで構成される。
【００１０】
図２は図１の詳細構成を示したものである。
【００１１】
調光操作器１は複数の照明器具３に各々対応した操作レバーを備えており、操作レバーの操作量に対応した調光信号を出力して照明器具３の明るさを各々変えることができる。
【００１２】
調光装置２においては、交流電源６から電源を供給される制御ブロック２０が、調光操作器１からの各調光信号に基づいたゲート信号を出力し、調光ユニット２１はそのゲート信号によってスイッチング動作を行う双方向サイリスタ２２を有しており、ゲート信号のオンデューティに応じて双方向サイリスタ２２の通電量、即ち交流電源７から照明器具３への出力電力を制御することによって調光する。ゲート信号のオンデューティが大きいほど双方向サイリスタ２２の通電量、即ち照明器具３への出力電力は大きくなる。
【００１３】
調光ユニット２１’は調光ユニット２１のうち客先照明（客電）に割り当てられた照明器具３’を調光するもので、公演施設に取り付けられて携帯電話の送受信を抑止する動作を行う抑止機器４の動作を制御する制御手段５は調光ユニット２１’に隣接して配置され、調光ユニット２１’の双方向サイリスタ２２’のゲート信号を反転させるインバータＩＣ５０とインバータＩＣ５０の出力がハイレベルのときにオンするリレーやリモコンブレーカ等の電源開閉手段５１とを備えており、双方向サイリスタ２２’がオフしているときには電源開閉手段５１がオンすることによって抑止機器４は交流電源８から電力を供給され、双方向サイリスタ２２’がオンしているときには電源開閉手段５１がオフすることによって抑止機器４は交流電源８からの電力を遮断される。
【００１４】
即ち、公演施設が開演中となり、調光操作器１の操作レバーが消灯方向に操作されて、双方向サイリスタ２２’のゲート信号のオンデューティが一定以下、電源開閉手段５１のオンデューティが一定以上になると、抑止機器４は交流電源８から動作に必要な所定以上の電力を供給されて、携帯電話の送受信を抑止するための抑止電波を発生して携帯電話の送受信を抑止する。また、公演施設が開演中以外の状態となり、調光操作器１の操作レバーが点灯方向に操作されて、双方向サイリスタ２２’のゲート信号のオンデューティが一定以上、電源開閉手段５１のオンデューティが一定以下になると、抑止機器４は交流電源８から動作に必要な所定以上の電力を供給されなくなり、抑止電波の発生が停止して携帯電話の送受信を可能にする。
【００１５】
このように本基本構成においては、演技・演奏中で客電用の照明器具３’が消灯していること、または客電用の照明器具３’の明るさが一定の調光レベルを下回ったことに連動して、抑止機器４を稼動、即ち抑止電波の発射を有効にし携帯電話の送受信を抑止、不能にする。また、演技・演奏中以外に客電用の照明器具３’が点灯していること、または客電用の照明器具３’の明るさが一定の調光レベルを超えたことに連動して、抑止機器４の稼動を停止、即ち抑止電波の発射を停止して携帯電話の送受信を可能にする。
【００１６】
なお、客電用の照明器具に天井照明や足元灯等が含まれ、演技・演奏中も足元灯だけが点灯するように独立して制御される場所では、演技・演奏中が判断できる天井照明の回路に連動させれば、誤動作無く本基本構成と同様の効果を得ることができる。
【００１７】
（参考例１）
本参考例の概略構成は基本構成を示す図１と略同様であり、基本構成と同様の構成には同一の符号を付して説明は省略する。
【００１８】
本参考例においては、制御手段５は、客席の側壁などに取り付けられた複数の照度センサを有しており、照度センサで客席の照明照度を監視する。例えば、開演中に遅れてきた客の案内で懐中電灯を使用する場合や、演出上の都合で部分的に客席が照らされた場合等に演技・演奏中でないと判別してしまう誤検出を除くため、場内が暗転したときに、設置した照度センサで監視している客席照度のほぼ全てが一定の値となった場合を演技・演奏中と判定して、抑止機器４の動作を有効にしている。
【００１９】
このように本参考例においては、客席照明を、公演施設が開演中か否かを判別する判別手段に用いながら、基本構成のように調光装置２の出力との連動ではなく、直接、客席照明の照度に基づいて公演施設が開演中か否かを判別することを特徴としている。
【００２０】
（参考例２）
本参考例の概略構成は基本構成を示す図１と略同様であり、基本構成と同様の構成には同一の符号を付して説明は省略する。
【００２１】
公演施設のホールなどでは、開演前や休憩中に客席入場口の扉を開放し、開演中は扉を閉めて入場を制限するところがある。
【００２２】
そこで図３に示すように、本参考例の制御手段５は、客先入場口の扉９の開閉を検出できるリミットスイッチ５２を設け、リミットスイッチ５２の接点を交流電源８と抑止装置４との間に挿入する。このリミットスイッチ５２は演技・演奏中に扉９が閉められた時のみ接点がオンし、交流電源８から抑止装置４に電源が供給されて、携帯電話の送受信を抑止するための抑止電波を発生して携帯電話の送受信を抑止する。
【００２３】
また、リミットスイッチ５２の代わりに、扉９の開閉を検出できる検出用センサであればよく、リミットスイッチに限定されるものではない。
【００２４】
さらに、舞台緞帳や幕が開いているとき、場内の禁煙灯が点灯しているとき、及び非常口灯などの出力に呼応して抑止装置４の動作を制御する場合も原理は同様で、制御手段５は、各々の動作に基づいた接点出力により開演中と判断して交流電源８から抑止装置４に電力を供給すればよい。
【００２５】
（実施形態１）
本実施形態の概略構成は基本構成を示す図１と略同様であり、基本構成と同様の構成には同一の符号を付して説明は省略する。
【００２６】
本実施形態において制御手段５は、客席の側壁などに取り付けられた複数の照度センサで客席の照明照度を監視し、舞台上では緞帳の開閉状態を例えば幕の一端と舞台上の固定端とに取り付けた近接センサで監視する。そして、これらの照度センサ及び近接センサの両方の出力が開演中であることを示した場合、例えば設置した照度センサで監視している客席照度のほぼ全てが一定の値となり、且つ緞帳が開いている場合には、開演中であると判別し、交流電源８から抑止装置４に電源が供給されて、携帯電話の送受信を抑止するための抑止電波を発生して携帯電話の送受信を抑止する。
【００２７】
このように、客席の照明照度と舞台上の緞帳との両方の状態を監視することによって、観客及び演者が共に開演の準備ができていることを判別する。
【００２８】
（参考例３）
本参考例の概略構成は基本構成を示す図１と略同様であり、基本構成と同様の構成には同一の符号を付して説明は省略する。
【００２９】
本参考例において制御手段５は、赤外線センサ、照度センサ、音響センサ、振動センサ、圧力センサ、温度センサのうち１つ以上を備えており、各センサの出力によって客席が演目を聴取する状態にあるか否かを判断し、前記判断結果によって公演施設が開演中か否かを判別する。
【００３０】
赤外線センサは、公演施設、特に劇場では天井高さが高いため、天井ではなく客席通路脇の壁面に複数台の赤外線センサを設置して人体検出を行う。そして、これら複数台の赤外線センサのうち大多数から人体検出の出力がなくなった時点をほぼ着席完了とみなし、開演中か否かの判別手段として用いる。
【００３１】
照度センサは、参考例１に説明しているのでここでは省略する。
【００３２】
音響センサは、休憩時間中のＢＧＭの開始または終了に同期して接点信号を出力し、この接点信号によって開演中か否かの判別を行う。このように場内の音響をもとに開演中か否かの判別を行うことができる。
【００３３】
振動センサは、公演施設の床面振動を床下に取り付けたピックアップなどのセンサで検出する。入場〜着席〜退場時の連続的な振動パターン、即ち入場時の継続的な振動、ほぼ着席が終了したときの振動の低下、休憩時の断続的な振動、終演後の継続的な振動などを検出し、各振動のパターンによって開演中か否かの判別を行う。休憩のない演目であれば、入場時の振動を検出してから退場時の振動を検出するまでの間だけ開演中であると判断して、抑止機器４に交流電源８から電力を供給して、携帯電話の送受信を抑止するための抑止電波を発生して携帯電話の送受信を抑止すればよい。
【００３４】
圧力センサは、観客数の増加に伴う床面圧力、あるいは床面圧力の移動を検出して開演中か否かの判別を行う。
【００３５】
温度センサは、室内温度のうち客席部の温度上昇を検出して、抑止機器４に交流電源８から電力を供給するスイッチとして用いる。舞台上は高温のスポットライトや演出用効果器などの使用があり得るため、舞台上での温度検出には確実性を求めることはできない。そこで、客席のうち客数が少ない場合でも中心的に占められる場所に温度センサを設置する。
【００３６】
また、温度の単純な出力値ではなく、その分布を利用することもでき、舞台が室内中央にあり、客席が舞台を取り巻くように配置されている劇場ではその劇場の温度分布等の特有の条件を利用して、抑止機器４の動作を制御することもできる。例えば、予め円環状の温度分布パターンを計算機に取り込んでおき、サーモビュワーで温度分布を数分おきに監視し、監視した温度分布パターンの一致が複数回続けて得られた場合に、客席の収容がほぼ完了したとして抑止機器４の動作を有効にすればよい。
【００３７】
このような各センサの検出結果によって客席が演目を聴取する状態にあるか否かを判断し、客席が演目を聴取する状態にあると判断した場合には公演施設が開演中であると判別して抑止機器４の動作を有効にしている。
【００３８】
（参考例４）
本参考例の概略構成は基本構成を示す図１と略同様であり、基本構成と同様の構成には同一の符号を付して説明は省略する。
【００３９】
本参考例の構成を図４に示す。制御手段５は複数のセンサ、赤外線センサ５３ａ、温度センサ５３ｂ、照度センサ５３ｃの３つのセンサを備えており、赤外線センサ５３ａと温度センサ５３ｂとの両方から観客の存在を検出した出力がある場合、且つ照度センサは客席照明を検出の対象として客席照明が点灯していない場合のみ、接点部品５７の接点を閉にして抑止機器４に交流電源８から電力を供給し、抑止機器４は携帯電話の送受信を抑止するための抑止電波を発生して携帯電話の送受信を抑止する。
【００４０】
【発明の効果】
請求項１の発明は、客を集めて公演を行う公演施設に取り付けられて携帯電話の送受信を抑止する動作を行う抑止機器と、前記公演施設が開演中か否かを前記公演施設の客席、及び舞台の両方の環境によって判別し、前記判別結果が開演中であれば前記抑止機器を動作させ、前記判別結果が開演中でなければ前記抑止機器の動作を停止させる制御手段とを備えるので、抑止機器の動作に人の曖昧な判断を介在させず確実性を持たせることができ、必要な時間にのみ携帯電話の送受信を抑止できて、抑止電波発生の効果と電波法の遵法とを両立することができるという効果がある。さらに、客席と舞台との双方からの判別材料に基づき、どちらか一方が必ずしも開演中の条件とならない事情があったとしても、より確実に開演中の状態を判別して装置の稼動を確実にすることができるという効果がある。
【図面の簡単な説明】
【図１】  携帯電話抑止装置を示す構成図である。
【図２】  携帯電話抑止装置を示す詳細な構成図である。
【図３】  携帯電話抑止装置の参考例２を示す構成図である。
【図４】  携帯電話抑止装置の参考例４を示す構成図である。
【符号の説明】
１  調光操作器
２  調光装置
３  照明器具
４  抑止機器
５  制御手段
【図１】
0003945191.tif 000002
【図２】
0003945191.tif 000003
【図３】
0003945191.tif 000004
【図４】
0003945191.tif 000005